(57)【要約】      （修正有）【課題】車椅子の身障者が自由に、かつ安全に洗面できると共に、美感のある洗面化粧台を提供する。【解決手段】洗面化粧台は槽本体２と、それを囲む台板３と、これらを支持する支持柱から構成される。槽本体は、少なくとも正面側から最低面に向かって下り傾斜する凹部を有し、槽本体及び台板は人工大理石、ＦＲＰ、ステンレスのいずれか又はこれらの組合せからなる。車椅子１２上の身障者１３は洗面化粧台に近接しても膝１４が傾斜曲面１１に当接しない。そのため、洗面が容易に、かつ安全に行われる。【選択図】図３
0003218988.tif 000002
【実用新案登録請求の範囲】
【請求項１】
人工大理石、ＦＲＰ、ステンレスのいずれか又はこれ等の任意の組合せからなり、車椅子に着座した身障者がその状態で洗面、化粧をするための洗面化粧台であって、該洗面化粧台は、少なくても前記身障者の挿入側から最底面に向かって下り傾斜する凹部を形成する槽本体と該槽本体を囲む台板と、前記槽本体及び台板を地面より洗面、化粧の可能の高さに保持する保持手段とからなり、前記凹部の底面は、洗面、化粧位置に挿入された前記身障者の膝が干渉しない高さ位置に保持されることを特徴とする洗面化粧台。
【請求項２】
前記槽本体が前記台板上に複数個形成されることを特徴とする請求項１に記載の洗面化粧台。
【考案の詳細な説明】
【技術分野】
【０００１】  本考案は、特に車椅子に着座した状態で洗面、化粧をする身障者に好適な洗面化粧台に関する。
【背景技術】
【０００２】  洗面化粧台としては各種のものがあるが車椅子に着座した身障者の使用するものとして、例えば図５及び図６に示すものがある。この洗面化粧台１ａは凹部５ａからなる槽本体２ａと、これを囲む台板３ａ等とからなり、台板３ａの立ち上がり部１５ａは立壁７に固定されて片持ち支持される。また、槽本体２ａは中央の最底面に排水口９ａを有する傾斜面１１ａを備えるものからなる。また、図６に示すように傾斜面１１ａは比較的深底のものからなり、全体として丸味を帯びたものが使用されていた。【０００３】  従来の洗面化粧台１ａは前記のような構造のものからなり、図６に示したように車椅子１２に着座した身障者１３が洗面、化粧をしようとすると、身障者１３の膝１４が槽本体２ａの傾斜面１１ａに当り、洗面、化粧がし易い位置に挿入できない不便さがあった。また、従来の洗面化粧台１ａとしては陶器製のものが多く、割れ易く、かつ高級感のないものが主であった。しかし天然の大理石は高価せあり、人工大理石であっても十分な高級感もあり、硬度も十分であった。
【考案の概要】
【考案が解決しようとする課題】
【０００４】  前記のように従来の洗面化粧台としては各種の問題点があった。そこで車椅子に着座した身障者がそのままの姿勢で洗面、化粧が確実に出来、かつ高級感もあり比較的安価に実施できる洗面化粧台を提供することを目的とする。
【課題を解決するための手段】
【０００５】  本考案は、以上の目的を達成するために、考案されたものであり、請求項１の考案は、人工大理石、ＦＲＰ、ステンレスのいずれか又はこれ等の任意の組合せからなり、車椅子に着座した身障者がその状態で洗面、化粧をするための洗面化粧台であって、該洗面化粧台は、少なくても前記身障者の挿入側から最底面に向かって下り傾斜する凹部を形成する槽本体と該槽本体を囲む台板と、前記槽本体及び台板を地面より洗面、化粧の可能の高さに保持する保持手段とからなり、前記凹部の底面は、洗面、化粧位置に挿入された前記身障者の膝が干渉しない高さ位置に保持されることを特徴とする。【０００６】  また、請求項２の考案は、前記槽本体が前記台板上に複数個形成されることを特徴とする。
【考案の効果】
【０００７】  本考案の請求項１の洗面化粧台によれば、まず、人工大理石、ＦＲＰ、ステンレスのいずれのものか又はこれ等の組合せのものから形成されるため従来の陶器製のものに較べて高級感を有するものからなる。特に人工大理石のものは美観もあり、天然の大理石に較べて安価である。また、本考案の大きな特徴としては車椅子の着座した身障者は洗面、化粧時においてそのままの姿勢で膝の当らない位置まで挿入出来、また、全体の槽本体の高さが保持手段により洗面、化粧がし易い高さに位置付けられているため確実で安定した洗面、化粧を行うことが出来る。【０００８】  また、本考案の請求項２の洗面化粧台によれば、槽本体が複数個配置されているため、複数の人が同時に洗面、化粧することが出来、便利である。
【図面の簡単な説明】
【０００９】
【図１】  本考案の洗面化粧台の全体構造を示す平面図。
【図２】  図１のＡ―Ａ線断面図。
【図３】  本考案の洗面化粧台の別の実施の形態とその使用状態を示す模式的断面図。
【図４】  複数台（図示では２台）の槽本体を配置した本考案の洗面化粧台を示す平面図。
【図５】  従来の洗面化粧台の平面図。
【図６】  従来の洗面化粧台の使用状態における問題点を説明するための模式的断面図。
【考案を実施するための形態】
【００１０】  以下、本考案の洗面化粧台の実施の形態を図面を参照して詳説する。
【実施例１】
【００１１】  図１及び図２に示すように本考案の洗面化粧台１は上面開放の凹部５を有する槽本体２と、これを囲む平坦な台板３と、槽本体２及び台板３を床面６上に支持する保持手段の１つとしての支持柱４等とから構成されている。また、槽本体２の凹部５は最底面８に向かって下り傾斜する傾斜曲面１１を形成するものからなり最底面８には排水口８が形成される。この支持柱４には槽本体２が洗面、化粧し易い位置に来るような高さからなる。
傾斜曲面１１の位置は車椅子１２に着座した身障者１３が洗面、化粧を行う位置まで進んだ場合に図３に示すように身障者１３の膝１４が傾斜曲面１１の下面に当接しない高さに形成されている。また、図２に示すように槽本体２と台板３とが別体の場合には両者の間にシール材１０が設けられ、漏水を防止するようにしている。
【実施例２】
【００１２】  図３は本考案の別の実施例を示すものである。洗面化粧台１の全体構造としては図１及び図２に示したものと同一であるが保持手段が相異している。即ち、台板３には立ち上がり部１５が形成され、この立ち上がり部１５が立壁７に固定されて槽本体２を片持ち支持するものからなる。
以上の構造により車椅子１２に着座した身障者１３は安定した洗面、化粧を行うことが出来る。【００１３】  本考案では、槽本体２や台板３を人工大理石、ＦＲＰ、ステンレスのいずれか又はこれ等の適合の組合せのものから形成されるものからなる。特に人工大理石で型成形されることが望ましい。人工大理石は天然の大理石に較べて安価に入手出来ると共に天然の大理石にほぼ等しい光沢や硬度を有するものからなり高級感を得ることが出来るものからなる。人工大理石はポリエステル系樹脂に無機質粉体を混練したものからなり型成形により任意の形状のものを形成することが出来る。なお、型成形時においてゲールコーテイングを型の表面に塗布することにより、光沢性と高硬度を得ることが出来、耐久性の向上を図ることが出来る。
【実施例３】
【００１４】  図４は槽本体２を２個並設した洗面化粧台１を示す。図示では同一形状の槽本体２が形成され、これを台板３により囲んでいるが、勿論、槽本体２，２は異なる形状及び大きさのものでもよい。また、人工大理石の場合でもその内容物を変えることにより色合や光沢度を変化させることも可能である。勿論、図４では２個の槽本体を用いたが、複数個のものでもよい。また、槽本体２の内の１つを身障者１３以外のものに形成してもよい。【００１５】  本考案は以上の説明の内容からなるが、その内容は前記のものに限定するものではなく同一技術的範疇のものが適用されることは勿論である。
【産業上の利用可能性】
【００１６】  本考案の洗面化粧台１は身障者１３用に限定するものではなく、一般の人々に対しても適用出来るものであり、槽本体２の形状も任意のものでよく、その利用範囲は広い。
【符号の説明】
【００１７】  １    洗面化粧台
２    槽本体
３    台板
４    支持柱
５    凹部
６    床面
７    立壁
８    最底面
９    排水口
１０  シール材
１１  傾斜曲面
１２  車椅子
１３  身障者
１４  膝
１５  立ち上がり部
【図１】
0003218988.tif 000003
【図２】
0003218988.tif 000004
【図３】
0003218988.tif 000005
【図４】
0003218988.tif 000006
【図５】
0003218988.tif 000007
【図６】
0003218988.tif 000008